(57)【要約】【課題】帳票類ラックの収納空間に横幅や高さが相違する複数種類の帳票類を配置するにおいて、１種類で対応できる補助支持具を提供する。【解決手段】補助支持具１９は、収納空間１３の内面に重なる角形の基板２０を有しており、基板２０に、高さを変えて複数の支持片２１〜２３を設けている。支持片２１〜２３はスペーサとして機能するため、１種類の補助支持具１９で多種類の帳票類Ｃを支持できる。帳票類Ｃを左右に並べて載置することも可能である。支持片２１〜２３は、基板２０から曲げ起こして立体化されているので、第１支持片２１はフラットなままにしておいて第２支持片２２を曲げ起こすことにより、複数段の支持片を選択して使用できる。補助支持具１９は、上下逆の姿勢でも使用できる。多彩な使用方法を展開できるため、１種類の帳票類ラックに各種の大きさの帳票類Ｃを配置できるし、大きさが相違する各種の帳票類ラック１にも適用できる。【選択図】図４
2018103390.tif 000002
【特許請求の範囲】
【請求項１】
帳票類ラックに形成された上向き開口の収納空間に配置して帳票類をその上部が前記収納空間の上に露出した状態に保持する補助支持具であって、
前記収納空間にその前後面と平行な姿勢で配置される角形の基板を備えており、前記基板に、前記帳票類が載る支持片を設けている、
帳票類ラック用の補助支持具。
【請求項２】
前記支持片は、先端に上向きの起立片を有してＬ形に形成されており、前記基板と起立片とが収納空間の前後面に互いに反対側から当接して前記収納空間で前後ずれ不能に保持されるように設定されている、
請求項１に記載した帳票類ラック用の補助支持具。
【請求項３】
前記基板は、平行な２つの水平辺のうち一方の水平辺を上にした状態と、平行な２つの水平辺のうち他方の水平辺を上にした状態との両方で使用可能であり、一方の水平辺を上にした状態のときに帳票類が載る支持片と、他方の水平辺を上にした状態のときに帳票類が載る支持片とを形成している、
請求項１又は２に記載した帳票類ラック用の補助支持具。
【請求項４】
前記支持片は、前記基板に切り込みと折り目線とを形成することで構成されている、
請求項１〜３のうちのいずれかに記載した帳票類ラック用の補助支持具。
【請求項５】
前記基板に、高さが異なる帳票類を支持できるように上下複数段の支持片が形成されている、
請求項４に記載した帳票類ラック用の補助支持具。
【請求項６】
前記基板に、帳票類を個別に支持可能な支持片が左右に分離して形成されており、前記左右の支持片の間に、前記左右の支持片で支持された帳票類の左右位置を規制するストッパー片を設けている、
請求項１〜５のうちのいずれかに記載した帳票類ラック用の補助支持具。
【発明の詳細な説明】
【技術分野】
【０００１】
本願発明は、伝票帳やパンフレット、カタログなどの帳票類を展示・載置する帳票類ラックに使用する補助支持具に関するものである。
【背景技術】
【０００２】
役所や銀行、郵便局、宅配業者、企業等で、各種伝票や届出書、申し込み書、カタログ、パンフレットなどの帳票類（紙葉類）が使用されており、来訪者に提供されている。これらの帳票類は、左右横長の収納空間を有するラック（ケース）に上から差し込んで載置していることが多いが、大きさが異なるものを扱う場合も多い。例えば郵便局を例にとると、書留等差出票、振込取扱票、ゆうパック用伝票、定額小為替振出請求書、ＥＭＳ伝票など、左右幅と上下高さとが相違するものが他種類存在している。
【０００３】
他方、帳票類ラックは、一般に、左右横長の収納空間を前後に並べて多段に形成しているが、各収納空間の深さは一定になっている。そこで、帳票類の高さの違いに対しては、収納空間にスペーサを嵌め込むことによって対応している。他方、左右幅の違いへの対応として、本願出願人は、特許文献１において、帳票類の視認性に優れた仕切り具を開示した。
【先行技術文献】
【特許文献】
【０００４】
【特許文献１】特開２０１６−６９０４２号公報
【発明の概要】
【発明が解決しようとする課題】
【０００５】
特許文献１の仕切り具は、帳票類の視認性や姿勢安定性に優れているが、帳票類の高さの違いに対してはスペーサで対応しているため、大きさが相違する各種の帳票類に対応するにおいて、まだ改良の余地があることが判った。
【０００６】
本願発明はこのような現状に鑑み成されたものであり、左右幅と高さとが相違する複数種類の帳票類について１種類で対応できる補助支持具を提供し、延いては、１種類の帳票類ラックに他種類の帳票類を配置できるようにしてコストを抑制したり、大きさが相違する各種の帳票類ラックに様々な大きさの帳票類を配置できるようにすることを課題とするものである。 
【課題を解決するための手段】
【０００７】
本願発明は、帳票類ラックに形成された上向き開口の収納空間に配置して帳票類をその上部が前記収納空間の上に露出した状態に保持する補助支持具であって、前記収納空間にその前後面と平行な姿勢で配置される角形の基板を備えており、前記基板に、前記帳票類が載る支持片を設けている。
【０００８】
請求項２の発明は、請求項１において、前記支持片は、先端に上向きの起立片を有してＬ形に形成されており、前記基板と起立片とが収納空間の前後面に互いに反対側から当接して前記収納空間で前後ずれ不能に保持されるように設定されている。
【０００９】
請求項３の発明は、請求項１又は２において、前記基板は、平行な２つの水平辺のうち一方の水平辺を上にした状態と、平行な２つの水平辺のうち他方の水平辺を上にした状態との両方で使用可能であり、一方の水平辺を上にした状態のときに帳票類が載る支持片と、他方の水平辺を上にした状態のときに帳票類が載る支持片とを形成している。
【００１０】
請求項４の発明は、請求項１〜３のうちのいずれかにおいて、前記支持片は、前記基板に切り込みと折り目線とを形成することで構成されている。この請求項４の展開例として、請求項５では、前記基板に、高さが異なる帳票類を支持できるように上下複数段の支持片が形成されている。
【００１１】
請求項６では、請求項１〜５のうちのいずれかにおいて、前記基板に、帳票類を個別に支持可能な支持片が左右に分離して形成されており、前記左右の支持片の間に、前記左右の支持片で支持された帳票類の左右位置を規制するストッパー片を設けている。 
【発明の効果】
【００１２】
さて、１つの機関や企業等で扱う帳票類の種類は概ね決まっていることが多い。従って、本願発明の補助支持具における支持片の高さや左右幅、或いは左右位置などを各種の帳票類に対応して形成しておくことにより、１種類の補助支持具で複数種類の帳票類を容易に視認できる状態に載置・展示することができる。従って、非常に便利である。すなわち、本願発明の支持片はスペースとしての機能を有しているため、１種類の補助支持具により、左右幅や高さが相違する帳票類を支持できるのである。
【００１３】
従って、帳票類の大きさに合わせて他種類の帳票類ラックを用意しておく必要がなくて、帳票類ラックに要するコストを抑制できる。また、既に複数種類の大きさの帳票類ラックが存在する場合、基板の大きな支持片の配置位置などを適宜設定したり、横幅が最も大きい帳票類ラックに合わせた左右幅に設定しておいて、横幅が小さい帳票類ラックについては左右幅が小さくなるようにカットしたり、或いは、複数の補助支持具を左右に並べて配置したりすることにより、１種類の補助支持具を各種の大きさの帳票類ラックに使用することも可能である。このように、本願発明の補助支持具は様々な使用態様を採用可能であるため、帳票類ラックの使用価値を大きく向上できる。
【００１４】
請求項２の構成を採用すると、基板と支持片とが互いに逆方向から収納空間に前後内面に突っ張ることにより、補助支持具を前後にガタつかない安定した状態に保持できる。従って、帳票類も安定的に支持できるし、帳票類の挿入もスムースに行える。また、支持片はＬ形であるため、当該支持片に下向きの力が掛かっても、起立片が収納空間の内面に突っ張ることにより、支持片が下向きに倒れることを防止できる。このため、支持片が曲がって帳票類が下方に落ち込んでしまうようなことを確実に防止できる。
【００１５】
請求項３の構成を採用すると、補助支持具の上下姿勢を変更することによって、支持できる帳票類の種類を増やすことができるため、帳票類の大きさの相違に対する対応性が一層優れている（多くの種類の帳票類に対応できる。）。
【００１６】
補助支持具は、例えば樹脂を材料とした射出成形法によっても製造できるが、請求項４のように、基板に切り込みと切り目とを設けて支持片を形成する構成を採用すると、コストを大幅に低減できる利点や、寸法の変更にも素早く対応できる利点、或いは、流通段階では支持片を曲げ起こさずにフラットなままにしておけるため、保管や包装のコストを大幅に抑制できる利点がある。
【００１７】
また、請求項４の利点として、請求項５のように支持片を上下複数段形成したときの対応が挙げられる。つまり、例えば上下２段の支持片を設けた場合、下段の支持片を使用する場合は、上段の支持片は曲げ起こさずにフラットなままにしておくことにより、下段の支持片で帳票類を支障なく支持できるのであり、このように、支持片を曲げ起こした立体状態と曲げ起こさないフラット状態とをユーザーが任意に選択できることにより、対応できる帳票類の種類を増大できるのである。
【００１８】
左右幅が小さい帳票類の場合、１つの収納空間に同じものを左右に並べて配置することがあるが、この場合、請求項６の構成を採用すると、左右の帳票類の左右位置がストッパーによって規定されるため、帳票類を見栄え良く配置することができる。また、ストッパーに、収納空間に対する突っ張り機能を持たせることも可能であり、この場合は、補助支持具の安定性向上にも貢献できる。        
【図面の簡単な説明】
【００１９】
【図１】本願発明が適用される帳票類ラックを備えた筆記台、及び、補助支持具を模式化して表示した斜視図である。
【図２】第１実施形態に係る補助支持具の正面図である。
【図３】各支持片及びストッパーを曲げ起こした状態での斜視図である。
【図４】使用状態の一例を示す縦断側面図である。
【図５】（Ａ）は第２支持片を使用している状態での正面図であり、（Ｂ）は第３支持片を支持している状態での正面図である。
【図６】大きさが相違する帳票類ラックと補助支持具との関係を示す正面図である。
【図７】（Ａ）は第２実施形態の正面図、（Ｂ）は（Ａ）のＢ−Ｂ視断面図である。
【図８】（Ａ）は第２実施形態の使用例を示す正面図、（Ｂ）は補助支持具１９同士の分離平面図である。
【図９】第２実施形態の補助支持具を左右に連結した状態での要部平断面図である。
【図１０】第３実施形態の部分正面図である。
【図１１】第４実施形態の部分正面図である。
【発明を実施するための形態】
【００２０】
(1).筆記台・帳票類ラック
次に、本願発明の実施形態を図面に基づいて説明する。図１では、本願発明が適用される帳票類ラック（帳票類ケース）１を備えた筆記台（テーブル）２の一例を表示している。筆記台２は、左右の脚板３とこれらで支持された天板４、及び、天板４と同じ高さの背板５を備えており、天板４の上面と背板５の上面とは同じ高さになっている。
【００２１】
そして、天板４の左右２か所を左右横長に切欠くことにより、上向きに開口した左右２つのラック格納空間６を形成し、ラック格納空間６に帳票類ラック１を上から嵌め込んでいる。図示していないが、机上面のうち左右のラック格納空間６の間には、時計や印肉、印鑑ブラシなどの備品を載置できる。筆記台２は、カバンや小物を載置できる棚板７を備えている。
【００２２】
帳票類ラック１は樹脂製で平面視長方形に形成されており、従って、前壁８と後ろ壁９、及び左右の側壁１０を有しており、前壁８と後ろ壁９との中途高さ部位にフランジ１１を設け、フランジ１１を天板４と背板５で支持している。実施形態では、帳票類ラック１は、中間高さよりも少し高い部分まで格納空間６に入り込でいる。
【００２３】
帳票類ラック１の内部には、左右横長で鉛直姿勢の中間壁１２が前後に並列配置されている。従って、帳票類ラック１の内部は前後５列の収納空間１３に区画されている。この場合、図４に明示するように、前壁８と中間壁１２の群と後ろ壁９との上端は、前壁８から後ろに向けて一定の高低差で段階的に高くなっている。また、各収納空間１３は底板１４を有している。
【００２４】
なお、帳票類ラック１は筆記台２の格納空間６に嵌め込む方式である必要はなく、単に机上面に載せるだけのタイプであってもよい。また、左右の収納部１６，１７を備えている必要はなく、１つの収納部のみを有するタイプであってもよい。更に、収納空間１３は前後に並んでいる必要はなくて、１列だけであってもよい。
【００２５】
(2).補助支持具
各収納空間１３には、帳票類Ｃをそのまま差し込んで載置することもできるが、収納空間１３に落ち込んでしまうような上下高さの帳票類Ｃは、補助支持具１９を使用することにより、上部を収納空間１３の上に露出させ状態に配置できる。なお、帳票類Ｃは、大きさに応じて特定する必要がある場合は、第１帳票類Ｃ１、第２帳票類Ｃ２のように称し、大きさに関係なく総称する場合は、単に帳票類Ｃという。
【００２６】
図３に示すように、補助支持具１９は、ポリプロピレンシートのような樹脂シートを材料にして製造されており、収納空間１３の深さと略同じ高さの基板２０に、第１支持片２１、第２支持片２２、第３支持片２３を切り起こし形成している。支持片２１，２２，２３は前向きに突出しているが、基板２０を収納空間１３の前面に重ねて、支持片２１，２２，２３を後ろ向きに突出させてもよい。
【００２７】
基板２０は、広幅収納部１６の左右幅に対応して用意されており、狭幅収納部１７に使用する場合は、左右の縁部を鋏等で切断する。そこで、切断線２４と鋏マーク２４ａとを表示している。
【００２８】
補助支持具１９は、図５（Ａ）のように、平行な２つの水平辺２５，２６のうち一方の水平辺２５を上にした状態と、図５（Ｂ）のように、平行な２つの水平辺２５，２６のうち他方の水平辺２６を上にした状態とのいずれの姿勢でも使用できる。第１支持片２１と第２支持片２２とは、一方の水平辺２５を上にした状態で使用するものであり、先端に、帳票類支持状態で上向きとなる起立片２１ａ，２２ａを設けている。いずれにしても、図４に示すように、帳票類Ｃは、大きさに関係なく、種類が判るように上端側の適宜範囲を収納空間１３の上に露出させている。
【００２９】
他方、第３支持片２３は、他方の水平辺２６を上にした状態で使用するものであり、この状態で上向きとなる起立片２３ａを有している。従って、各支持片２１，２２，２３は側面視Ｌ形になっており、第１支持片２１及び第２支持片２２の起立片２１ａ，２２ａと第３支持片２３の起立片２３ａとは、上下逆方向に向いている。
【００３０】
また、第１支持片２１は基板２０の左右中間部に形成されているが、第２支持片２２は、同じ高さ位置で左右２か所に形成されている。第３支持片２３は、同じ高さで左右２か所に形成されており、左右の第３支持片２３の間には、左右一対のストッパー２７が高さを変えて形成されている。
【００３１】
各支持片２１，２２，２３及びストッパー２７は、基板２０から曲げ起こして形成されている。すなわち、図２に示すように、フラットな状態の基板２０に、切り込み（切り線）２８と折り目線２９，３０とを形成しておいてから、折り目線２９，３０に沿って曲げることにより、図３のような立体的な支持片２１〜２３が形成される。基板２０との連接部の折り目線を符号２９で表示して第１折り目線と称し、起立片の付け根箇所の折り目線を符号３０で表示して第２折り目線と称する。
【００３２】
なお、補助支持具１９は、ロール状のシート又はカットシートを材料にして製造されるが、補助支持具１９（基板２０）の打ち抜き加工と、支持片２１〜２３等の箇所の切り込み加工と折り目線加工とは、トムソンによって同時に行うことができる。折り目線２９，３０は、例えば浅いＶ溝とすることができる（ミシン線などでもよい。）。
【００３３】
第１支持片２１と基板２０との連接部の折り目線２９は、第１支持片２１の左右幅に対して小さくなっており、かつ、第１折り目線２９の外側では、第１支持片２１の下面は外側に行くに従って前後幅が小さくなっている。従って、図２に示す曲げ起こし前の状態で見ると、第１支持片２１のうち第１折り目線２９の左右外側の部位は、上向きに傾斜した傾斜部３１になっている。
【００３４】
第１支持片２１と基板２０との連接部の第１折り目線２９の左右幅を小さくしているのは、第１支持片２１の左右幅がかなり大きいことから、軽い力でかつ正確に折り曲げできるようにするためのである（折り目線が長いと、曲げ起こしに力が掛かるのみならず、折り目が直線にならずに曲げ起こしが不正確になることがある。）。
【００３５】
第１支持片２１に傾斜部３１を形成したことに伴って、傾斜部３１の下方部位の強度が低下することを防止するため、第２支持片２２の切り込み２８に傾斜部２８ａを形成している。従って、第２支持片２２の起立片２２ａのうち第１支持片２１の下方に位置した部位は、傾斜面になっている。
【００３６】
ストッパー２７の箇所では、基板２０に略Ｓ形の切り込み３２が形成されており、左右のストッパー２７に対応した折り目線３３が、左右と上下とに分かれた状態で形成されている。ストッパー２７は、基板２０の裏側から指先で押し曲げることにより、前向きに突出した立体形状になる。
【００３７】
(3).まとめ
本実施形態の補助支持具１９は、例えば、左右幅が相違する第１〜第４の４種類の帳票類ラック１に適用できる。これを図６に表示している。図６では、第１帳票類ラック１ａ，第２帳票類ラック１ｂ，第３帳票類ラック１ｃ，第４帳票類ラック１ｄの４種類の帳票類ラック１を表示している。
【００３８】
第１帳票類ラック１ａは、補助支持具１９を左右の切断線２４の箇所でカットして１枚だけ使用する狭幅シングル仕様である。第２帳票類ラック１ｂは、補助支持具１９を左右でカットせずに、１枚だけを使用する広幅シングル仕様である。第３帳票類ラック１ｃは、左右の切断線２４の箇所でカットした補助支持具１９を左右に２枚並べて配置する狭幅ダブル仕様である。第４帳票類ラック１ｄは、左右を切断線２４に沿ってカットした補助支持具１９と、カットしていない補助支持具１９とを左右に１対ずつ並べて配置できるものである。図１の帳票類ラック１は、第４帳票類ラック１ｄに対応している。
【００３９】
第３帳票類ラック１ｃ及び第４帳票類ラック１ｄでは、収納空間１３を左右に分離する中間仕切り板１５を備えることができる。第４帳票類ラック１ｄでは、中間仕切り板１５を設けると、中間仕切り板１５を挟んで一方の側に、カットしていない補助支持具１９を収納できる広幅収納部１６が形成されて、中間仕切り板１５を挟んで他方の側に、左右をカットした補助支持具１９を収納できる狭幅収納部１７が形成される。第３帳票類ラック１ｃに中間仕切り板１５を設けると、左右に並んだ狭幅収納部１７が形成される。
【００４０】
なお、補助支持具１９の左右幅を小さくする場合は、補助支持具１９を鋏等でカットすることに代えて、補助支持具１９の縁部を折り曲げたり、折り返したりしてもよい。折り曲げ片や折り返し片を収納空間１３の内面に突っ張らせると、補助支持具１９のガタつきを無くすことができる。この場合、縁部を１回だけ折り返してもよいし、収納空間１３の前後幅に合わせて複数回ジグザグ等に折り曲げるなどしてもよい。
【００４１】
これらの例の他に、第４帳票類ラック１ｄよりも更に横幅が大きい帳票類ラック１に、カットしていない補助支持具１９を左右に２枚並べて配置することも可能である。また、補助支持具１９を片方の切断線２４の箇所のみで切断して、補助支持具１９の横幅を３種類に選択することも可能であり、更に、補助支持具１９を左右に３枚以上並べて配置することも可能である。従って、帳票類ラック１の左右幅の違いにきめ細かく態様することができる。この点、本実施形態の特徴の一つである。また、次に説明するように、いずれの場合でも、各種の大きさの帳票類Ｃに対応できる。
【００４２】
図２から理解できるように、第１支持片２１では、第１帳票類ラック１ａ又は狭幅収納部１７の左右横幅に近い左右幅の第１帳票類Ｃ１を支持することができる。また、第１帳票類Ｃ１よりも幅狭の帳票類Ｃは、当然に支持できる。第３帳票類ラック１ｃでは、第１帳票類ラック１ａを左右に並べて配置できる。使用しない支持片は曲げ起こさずにフラットなままにしておいたらよいが、帳票類Ｃが載る支持片の下方に位置した支持片は、図４に一点鎖線で示すように、曲げ起こしておくことも可能であり、このようにすると、補助支持具１９のガタ付き防止機能が格段に向上する。
【００４３】
図２及び図５（Ａ）に示すように、第２支持片２２は、第２帳票類ラック１ｂ及び広幅収納部１６に納まる最も広幅の第２帳票類Ｃ２の支持に使用することを想定している。第２支持片２２を使用するときは、第１支持片２１は曲げ起こさずに、基板２０と同一面のフラット状態のままにしておく。左右幅が大きい第２帳票類Ｃ２であっても、左右の第２支持片２２で安定的に支持される。敢えて述べるまでもないが、第２支持片２２で支持できる帳票類Ｃの横幅には限定はないのであり、第１帳票類Ｃ１と同じ程度の横幅で第２帳票類Ｃ２と同じ程度の高さの別の帳票類Ｃを支持することも可能である。
【００４４】
左右の第２支持片２２で別々の帳票類Ｃを支持することも可能である。この場合は、当然ながら、左右の帳票類Ｃは、収納空間１３に並べて配置できる横幅である必要がある。また、左右の第２支持片２２で別々に帳票類Ｃを支持する場合、それらの帳票類Ｃは同種のものであってもよいし、異種のものであってもよい。
【００４５】
左右の第３支持片２３では、横幅及び高さが小さい第３帳票類Ｃ３を個別に支持することができる。また、左右のストッパー２７により、左右の第３帳票類Ｃ３が近づき過ぎないように保持することができる。例えば、郵便局で使用する書留等差出票のように、小さくて顧客の使用頻度が高いものは、このように左右に並べて配置しておくと便利である。
【００４６】
図５（Ｂ）は、第１帳票類ラック１ａ又は広幅収納部１６での使用状態を表示しているが、帳票類Ｃの大きさによっては、狭幅収納部１７での使用も可能である。また、左右の第３支持片２３で１つの帳票類Ｃを支持することも可能である。要は、使用態様は、帳票類Ｃの大きさや収納空間１３の横幅に応じて選択したらよい。
【００４７】
(4).第２実施形態
次に、図７〜９に示す第２実施形態を説明する。この実施形態は、基本的には第１実施形態と同じであり、第１実施形態の構成に加えて、切断線２４の左右外側に、３段ずつのサイド突起３４を設けている。サイド突起３４は、切り込み３５と折り目線３６とによって構成されており、他の支持片２１〜２３やストッパー片３７と同様に、曲げ起こして立体化される。
【００４８】
図７（Ａ）に示すように、サイド突起３４は、曲げ起こしてから単に収納空間１３の内面に当接させることにより、帳票類ラック１の横ずれを防止するストッパーとして機能させることができる。従って、第１帳票類ラック１ｂや広幅収納部１６に、第１帳票類Ｃ１を配置する場合に好適である。また、サイド突起３４は、補助支持具１９のガタ付き防止機能も備えている。
【００４９】
第２実施形態の補助支持具１９は、サイド突起３４を利用して左右に連結することができる。すなわち、図８及び図９に示すように、隣り合った補助支持具１９を僅かに重ね合わせて、後ろに位置した補助支持具１９のサイド突起３４を、手前に位置した補助支持具１９におけるサイド突起３４の横の穴に嵌め込むことにより、２枚の補助支持具１９を左右に連結できる。
【００５０】
図示の状態では、図８のとおり、左右補助支持具１９の端部はカットしている。従って、重なり合った箇所では、左右の補助支持具１９の切断線２４は、少し離れているものの、離れている程度は僅かであってかなり近寄っている。このため、図６に示した第３帳票類ラック１ｃに使用可能である（第３帳票類ラック１ｃは、カットした補助支持具１９を左右に並べて少し余裕がある左右幅に設定されているので、連結した補助支持具１９も収納できる。）。サイド突起３４は、左右の補助支持具１９の連結手段として機能すると共に、左右に配置された帳票類Ｃの横移動を規制する仕切り片としても機能している。
【００５１】
なお、補助支持具１９は、その左右側部をいずれもカットせずに、単に連結することも可能である。この場合は、連結した状態での左右横幅は、左右をカットしていない補助支持具１９と左右をカットした補助支持具１９とを左右に並べた寸法よりも僅かに大きい寸法になるため、図６で表示した第４帳票類ラック１ｄに使用できる。
【００５２】
(5).他の実施形態
図１０に示す第３実施形態では、補助支持具１９の基板２０に、帳票類Ｃが載る支持片３６は反対側に突出した足片３７を曲げ起こして形成している。収納空間１３の溝幅が帳票類Ｃの厚さよりも大きい場合は、このような足片３７を設けことにより、補助支持具１９のガタ付きを無くしつつ、収納空間１３の前後溝幅を詰めることができる。
【００５３】
図１１に示す第４実施形態では、同じ高さの第４支持片４０と第５支持片４１とを左右に併設して、第４支持片４０の下方に第６支持片４１を設けている。この実施形態では、小型の第４帳票類Ｃ４を第４支持片４０と第５支持片４１とで別々に支持することができると共に、上下に長い第５帳票類Ｃ５は、第６支持片４２で支持できる。敢えて述べるまでもないが、第６支持片４２を使用する場合は、第４支持片４０は曲げ起こさずにフラットなままにしておく。符号４０ａ，４１ａ，４２ａは起立片である。
【００５４】
以上、本願発明の実施形態を説明したが、本願発明は、他にも様々に具体化できる。例えば、補助支持具は、樹脂シートを材料にして製造することには限らず、樹脂を材料にした射出成形法で製造することも可能である。また、材料は樹脂には限らないのであり、シート状の材料を使用する場合は、紙製としたり、紙と樹脂との積層体製とすることなども可能である。
【００５５】
また、左右幅と高さとは、帳票類ラックにおける収納空間の大きさに応じて任意に設定できる。１つの収納空間に、複数枚の補助支持具を左右に並べて配置することも可能である。支持片の大きさや個数、位置などは、使用する収納空間の大きさや、支持対象として予定している帳票類の種類や大きさなどに応じて、適宜設定できる。
【００５６】
基板２０に、多数の支持片に対応した切り込みと折り目線とを上下多段に形成しておいて、様々な大きさの帳票類に対応できるよう設定しておくことも可能である（すなわち、万能タイプとすることも可能である）。
【産業上の利用可能性】
【００５７】
本願発明は、帳票類ラック用の補助支持具として具体化できる。従って、産業上利用できる。
【符号の説明】
【００５８】
１  帳票類ラック
２  筆記台
１３  収納空間
１９  補助支持具
２０  基板
２１〜２３  支持片
２１ａ〜２３ａ  起立片
２４  切断線
２５  一方の水平辺
２６  他方の水平辺
２７  ストッパー
２８  切り込み
２９，３０  折り目線
３４  サイド突起
【図１】
2018103390.tif 000003
【図２】
2018103390.tif 000004
【図３】
2018103390.tif 000005
【図４】
2018103390.tif 000006
【図５】
2018103390.tif 000007
【図６】
2018103390.tif 000008
【図７】
2018103390.tif 000009
【図８】
2018103390.tif 000010
【図９】
2018103390.tif 000011
【図１０】
2018103390.tif 000012
【図１１】
2018103390.tif 000013